(57)【特許請求の範囲】
【請求項１】
表面に遊技盤構成部材が装着された遊技盤と、該遊技盤を前方から着脱可能な状態で収納する遊技盤収納部と、遊技盤を遊技盤収納部内へ収納した状態でロックするロック機構と、を備えた遊技機において、
前記ロック機構は、遊技盤に表裏方向へ貫通する状態で開設された盤側開口と、遊技盤収納部に前後方向へ貫通する状態で開設された収納側開口と、盤側開口および収納側開口に挿通される係止部材と、を備え、
該係止部材は、遊技盤に係止可能な盤側係止部と、遊技盤収納部に係止可能な収納側係止部と、盤側係止部と収納側係止部とを離間した状態で連結する連結軸と、を備え、該連結軸を中心にして当該係止部材を回動すると、盤側係止部を盤側開口の縁部へ係止するとともに収納側係止部を収納側開口の縁部へ係止し、
前記収納側係止部には、係止部材の回動操作を行うための操作ハンドルを備え、該操作ハンドルを遊技盤収納部の後方へ露出し、
前記盤側係止部を盤側開口および収納側開口へ通過可能な形状に設定するとともに、収納側係止部を収納側開口へ通過不能な形状に設定し、
前記盤側係止部を収納側開口へ挿通して遊技盤収納部内に配置するとともに、収納側係止部を収納側開口の縁部へ係止し、この状態で遊技盤を遊技盤収納部内へ収納して盤側係止部を盤側開口へ挿通するように構成され、
前記遊技盤には盤側凹部を当該遊技盤の表面から凹ませて形成し、該盤側凹部と前記盤側開口とを連通して、盤側凹部内に盤側係止部を遊技盤の表面よりも後方に位置する状態で収納し、盤側係止部および盤側凹部の前方に遊技盤構成部材を配置したことを特徴とする遊技機。
【請求項２】
前記遊技盤は、前記盤側凹部を形成する被係止ベース部を備え、該被係止ベース部の後部に前記盤側開口を開設し、
前記被係止ベース部の前端部の外周には、遊技盤の表面側に掛合するフランジ部を外方へ向けて突設し、該フランジ部と遊技盤収納部との間に遊技盤を挟持可能としたことを特徴とする請求項１に記載の遊技機。
【請求項３】
前記係止部材は、盤側係止部を盤側開口へ通過不能な形状に設定するとともに、収納側係止部を盤側開口および収納側開口へ通過可能な形状に設定し、
前記収納側係止部を盤側開口へ挿通して遊技盤の裏面側に配置するとともに、盤側係止部を盤側開口の縁部へ係止し、この状態で遊技盤を遊技盤収納部内へ収納して収納側係止部を収納側開口へ挿通するように構成されたことを特徴とする請求項２に記載の遊技機。
【請求項４】
前記収納側開口の縁部には係合突起を突設し、
前記収納側係止部のうち収納側開口の縁部に係止し得る位置には、係合突起が係合可能な係合溝部を連結軸が中心となる円弧状に形成し、
該係合溝部の一端を外方へ開放して係合突起を挿入可能な挿入口とし、他端を閉塞して係合突起が係止される係止端とし、係合溝部の深さを挿入口から係止端へ向けて次第に浅く設定し、係合溝部のうち係止端側の深さを係合突起の突出高さよりも浅く設定したことを特徴とする請求項３に記載の遊技機。
【請求項５】
前記遊技盤の裏面には、遊技盤に付属する付属部品が装着される装着ベースを備え、該装着ベースのうち盤側開口と収納側開口との間に位置する箇所にはベース側開口を係止部材が挿通可能な状態で開設し、
前記係止部材のうち盤側係止部と収納側係止部との間には、ベース側係止部を収納側係止部とは独立して連結軸周りに回動可能な状態で備え、連結軸を中心にしてベース側係止部を回動すると、該ベース側係止部をベース側開口の縁部へ係止するように構成されたことを特徴とする請求項２に記載の遊技機。
【請求項６】
前記連結軸は、盤側係止部側に位置する第１軸部と、収納側係止部側に位置する第２軸部と、から構成され、
前記第１軸部は、一端をベース側係止部へ止着するとともに他端を盤側係止部へ止着して、盤側係止部およびベース側係止部と共回り可能とし、
前記第２軸部は、一端を収納側係止部へ止着して収納側係止部と共回り可能とし、
前記第２軸部の他端をベース側係止部へ回動自在な状態で軸着して、盤側係止部とベース側係止部と収納側係止部とを連結し、ベース側係止部を収納側係止部とは独立して回動可能としたことを特徴とする請求項５に記載の遊技機。
【請求項７】
前記遊技盤の表面側には、フランジ部を嵌合可能なフランジ受溝部を形成し、
該フランジ受溝部のうち遊技盤の表裏方向に沿って設定される寸法を溝深さ寸法とし、
前記フランジ部のうち遊技盤の表裏方向に沿って設定される寸法をフランジ厚さ寸法とし、
前記溝深さ寸法をフランジ厚さ寸法以上に設定したことを特徴とする請求項２から請求項６のいずれかに記載の遊技機。
【発明の詳細な説明】
【技術分野】
【０００１】
本発明は、表面に遊技盤構成部材が装着された遊技盤と、該遊技盤を前方から着脱可能な状態で収納する遊技盤収納部と、遊技盤を遊技盤収納部内へ収納した状態でロックするロック機構とを備えたパチンコ遊技機等の遊技機に関する。
【背景技術】
【０００２】
従来の遊技機、例えば、パチンコ遊技機においては、その前面側に額縁状の遊技盤収納部を備え、該遊技盤収納部内に矩形状の遊技盤を着脱可能な状態で収納している。そして、遊技盤収納部内に操作レバーを備え、遊技盤にはレバー挿入孔を開設し、遊技盤収納部内に遊技盤を収納してレバー挿入孔に操作レバーを挿入し、この状態で操作レバーを回動して遊技盤を遊技盤収納部内に収納した状態でロックできるように構成されたパチンコ遊技機が提案されている（例えば、特許文献１参照）。
【特許文献１】特開２００７−２４４６８５号公報
【発明の開示】
【発明が解決しようとする課題】
【０００３】
ところで、近年では、遊技盤の表面に区画形成される遊技領域を拡大化して遊技の興趣を高めようとする傾向にある。そして、遊技盤の表面のうち遊技領域の外方に位置するスペース、詳しくは、遊技領域を区画する区画部材（言い換えると、遊技盤の一部となる遊技盤構成部材）が配置されるスペースが狭くなりがちであるが、この限られたスペースを有効に活用してパチンコ遊技機の内部構造を効率よく設定することが望まれている。しかしながら、上記特許文献に記載のパチンコ遊技機では、遊技領域の外方のうち操作レバーの前方に位置する部分を開放して操作レバーを操作可能とする必要がある。したがって、遊技盤収納部内に遊技盤を十分に保持する構成が実現できたとしても、操作レバーの前方には遊技盤を構成する遊技盤構成部材を配置することができず、遊技盤の表面の限られたスペースを有効に活用することができない。
【０００４】
そこで、本発明は、上記の事情に鑑みてなされたものであり、その目的は、遊技盤を遊技盤収納部へ十分に保持することができる構成を備えながらも、遊技盤の表面の限られたスペースを有効に活用することができる遊技機を提供しようとするものである。
【課題を解決するための手段】
【０００５】
本発明は、上記目的を達成するために提案されたものであり、請求項１に記載のものは、表面に遊技盤構成部材が装着された遊技盤と、該遊技盤を前方から着脱可能な状態で収納する遊技盤収納部と、遊技盤を遊技盤収納部内へ収納した状態でロックするロック機構と、を備えた遊技機において、
前記ロック機構は、遊技盤に表裏方向へ貫通する状態で開設された盤側開口と、遊技盤収納部に前後方向へ貫通する状態で開設された収納側開口と、盤側開口および収納側開口に挿通される係止部材と、を備え、
該係止部材は、遊技盤に係止可能な盤側係止部と、遊技盤収納部に係止可能な収納側係止部と、盤側係止部と収納側係止部とを離間した状態で連結する連結軸と、を備え、該連結軸を中心にして当該係止部材を回動すると、盤側係止部を盤側開口の縁部へ係止するとともに収納側係止部を収納側開口の縁部へ係止し、
前記収納側係止部には、係止部材の回動操作を行うための操作ハンドルを備え、該操作ハンドルを遊技盤収納部の後方へ露出し、
前記盤側係止部を盤側開口および収納側開口へ通過可能な形状に設定するとともに、収納側係止部を収納側開口へ通過不能な形状に設定し、
前記盤側係止部を収納側開口へ挿通して遊技盤収納部内に配置するとともに、収納側係止部を収納側開口の縁部へ係止し、この状態で遊技盤を遊技盤収納部内へ収納して盤側係止部を盤側開口へ挿通するように構成され、
前記遊技盤には盤側凹部を当該遊技盤の表面から凹ませて形成し、該盤側凹部と前記盤側開口とを連通して、盤側凹部内に盤側係止部を遊技盤の表面よりも後方に位置する状態で収納し、盤側係止部および盤側凹部の前方に遊技盤構成部材を配置したことを特徴とする遊技機である。
【０００６】
請求項２に記載のものは、前記遊技盤は、前記盤側凹部を形成する被係止ベース部を備え、該被係止ベース部の後部に前記盤側開口を開設し、
前記被係止ベース部の前端部の外周には、遊技盤の表面側に掛合するフランジ部を外方へ向けて突設し、該フランジ部と遊技盤収納部との間に遊技盤を挟持可能としたことを特徴とする請求項１に記載の遊技機である。
【０００８】
請求項３に記載のものは、前記係止部材は、盤側係止部を盤側開口へ通過不能な形状に設定するとともに、収納側係止部を盤側開口および収納側開口へ通過可能な形状に設定し、
前記収納側係止部を盤側開口へ挿通して遊技盤の裏面側に配置するとともに、盤側係止部を盤側開口の縁部へ係止し、この状態で遊技盤を遊技盤収納部内へ収納して収納側係止部を収納側開口へ挿通するように構成されたことを特徴とする請求項２に記載の遊技機である。
【０００９】
請求項４に記載のものは、前記収納側開口の縁部には係合突起を突設し、
前記収納側係止部のうち収納側開口の縁部に係止し得る位置には、係合突起が係合可能な係合溝部を連結軸が中心となる円弧状に形成し、
該係合溝部の一端を外方へ開放して係合突起を挿入可能な挿入口とし、他端を閉塞して係合突起が係止される係止端とし、係合溝部の深さを挿入口から係止端へ向けて次第に浅く設定し、係合溝部のうち係止端側の深さを係合突起の突出高さよりも浅く設定したことを特徴とする請求項３に記載の遊技機である。
【００１０】
請求項５に記載のものは、前記遊技盤の裏面には、遊技盤に付属する付属部品が装着される装着ベースを備え、該装着ベースのうち盤側開口と収納側開口との間に位置する箇所にはベース側開口を係止部材が挿通可能な状態で開設し、
前記係止部材のうち盤側係止部と収納側係止部との間には、ベース側係止部を収納側係止部とは独立して連結軸周りに回動可能な状態で備え、連結軸を中心にしてベース側係止部を回動すると、該ベース側係止部をベース側開口の縁部へ係止するように構成されたことを特徴とする請求項２に記載の遊技機である。
【００１１】
請求項６に記載のものは、前記連結軸は、盤側係止部側に位置する第１軸部と、収納側係止部側に位置する第２軸部と、から構成され、
前記第１軸部は、一端をベース側係止部へ止着するとともに他端を盤側係止部へ止着して、盤側係止部およびベース側係止部と共回り可能とし、
前記第２軸部は、一端を収納側係止部へ止着して収納側係止部と共回り可能とし、
前記第２軸部の他端をベース側係止部へ回動自在な状態で軸着して、盤側係止部とベース側係止部と収納側係止部とを連結し、ベース側係止部を収納側係止部とは独立して回動可能としたことを特徴とする請求項５に記載の遊技機である。
【００１２】
請求項７に記載のものは、前記遊技盤の表面側には、フランジ部を嵌合可能なフランジ受溝部を形成し、
該フランジ受溝部のうち遊技盤の表裏方向に沿って設定される寸法を溝深さ寸法とし、
前記フランジ部のうち遊技盤の表裏方向に沿って設定される寸法をフランジ厚さ寸法とし、
前記溝深さ寸法をフランジ厚さ寸法以上に設定したことを特徴とする請求項２から請求項６のいずれかに記載の遊技機である。
【発明の効果】
【００１３】
本発明によれば、以下のような優れた効果を奏する。
請求項１に記載の発明によれば、ロック機構は、遊技盤に表裏方向へ貫通する状態で開設された盤側開口と、遊技盤収納部に前後方向へ貫通する状態で開設された収納側開口と、盤側開口および収納側開口に挿通される係止部材とを備え、該係止部材は、遊技盤に係止可能な盤側係止部と、遊技盤収納部に係止可能な収納側係止部と、盤側係止部と収納側係止部とを離間した状態で連結する連結軸とを備え、該連結軸を中心にして当該係止部材を回動すると、盤側係止部を盤側開口の縁部へ係止するとともに収納側係止部を収納側開口の縁部へ係止し、収納側係止部には、係止部材の回動操作を行うための操作ハンドルを備え、該操作ハンドルを遊技盤収納部の後方へ露出し、遊技盤には盤側凹部を当該遊技盤の表面から凹ませて形成し、該盤側凹部と前記盤側開口とを連通して、盤側凹部内に盤側係止部を遊技盤の表面よりも後方に位置する状態で収納し、盤側係止部および盤側凹部の前方に遊技盤構成部材を配置したので、遊技盤を遊技盤収納部へ十分に保持することができる構成を備えながらも、遊技盤の表面の限られたスペースを有効に活用することができる。さらに、遊技盤の表面に区画形成される遊技領域を拡大し易い。また、ロック機構を遊技機の前方から見え難くすることができ、遊技機の装飾性が損なわれる不都合を抑え易い。
また、係止部材は、盤側係止部を盤側開口および収納側開口へ通過可能な形状に設定するとともに、収納側係止部を収納側開口へ通過不能な形状に設定し、盤側係止部を収納側開口へ挿通して遊技盤収納部内に配置するとともに、収納側係止部を収納側開口の縁部へ係止し、この状態で遊技盤を遊技盤収納部内へ収納して盤側係止部を盤側開口へ挿通するように構成したので、係止部材を予め遊技盤に備えておく必要がない。したがって、遊技盤の交換時に係止部材を別個に準備して新たな遊技盤に備える必要がなく、機種交換準備の手間や機種交換に掛かるコストの改善を図ることができる。
【００１４】
請求項２に記載の発明によれば、遊技盤は、前記盤側凹部を形成する被係止ベース部を備え、該被係止ベース部の後部に前記盤側開口を開設し、被係止ベース部の前端部の外周には、遊技盤の表面側に掛合するフランジ部を外方へ向けて突設し、該フランジ部と遊技盤収納部との間に遊技盤を挟持可能としたので、遊技盤収納部内に遊技盤を確実に保持することができる。
【００１６】
請求項３に記載の発明によれば、係止部材は、盤側係止部を盤側開口へ通過不能な形状に設定するとともに、収納側係止部を盤側開口および収納側開口へ通過可能な形状に設定し、収納側係止部を盤側開口へ挿通して遊技盤の裏面側に配置するとともに、盤側係止部を盤側開口の縁部へ係止し、この状態で遊技盤を遊技盤収納部内へ収納して収納側係止部を収納側開口へ挿通するように構成したので、遊技盤を遊技盤収納部へ保持する手段の設定、ひいては、遊技機設計の自由度を広げることができる。
【００１７】
請求項４に記載の発明によれば、収納側開口の縁部には係合突起を突設し、収納側係止部のうち収納側開口の縁部に係止し得る位置には、係合突起が係合可能な係合溝部を連結軸が中心となる円弧状に形成し、該係合溝部の一端を外方へ開放して係合突起を挿入可能な挿入口とし、他端を閉塞して係合突起が係止される係止端とし、係合溝部の深さを挿入口から係止端へ向けて次第に浅く設定し、係合溝部のうち係止端側の深さを係合突起の突出高さよりも浅く設定したので、収納側係止部と遊技盤収納部との係合を確実に行うことができ、遊技盤のロック状態が不用意に解除される不都合をなくすことができる。
【００１８】
請求項５に記載の発明によれば、遊技盤の裏面には、遊技盤に付属する付属部品が装着される装着ベースを備え、該装着ベースのうち盤側開口と収納側開口との間に位置する箇所にはベース側開口を係止部材が挿通可能な状態で開設し、係止部材のうち盤側係止部と収納側係止部との間には、ベース側係止部を収納側係止部とは独立して連結軸周りに回動可能な状態で備え、連結軸を中心にしてベース側係止部を回動すると、該ベース側係止部をベース側開口の縁部へ係止するように構成したので、遊技盤に装着ベースを止着する構成をロック機構とは別個に設ける必要がなく、遊技盤の構成部品数を低く抑えることができる。
【００１９】
請求項６に記載の発明によれば、連結軸は、盤側係止部側に位置する第１軸部と、収納側係止部側に位置する第２軸部とから構成され、第１軸部は、一端をベース側係止部へ止着するとともに他端を盤側係止部へ止着して、盤側係止部およびベース側係止部と共回り可能とし、第２軸部は、一端を収納側係止部へ止着して収納側係止部と共回り可能とし、第２軸部の他端をベース側係止部へ回動自在な状態で軸着して、盤側係止部とベース側係止部と収納側係止部とを連結し、ベース側係止部を収納側係止部とは独立して回動可能としたので、簡単な構成で収納側係止部とは独立して回動可能なベース側係止部を実現することができる。
【００２０】
請求項７に記載の発明によれば、遊技盤の表面側には、フランジ部を嵌合可能なフランジ受溝部を形成し、該フランジ受溝部のうち遊技盤の表裏方向に沿って設定される寸法を溝深さ寸法とし、フランジ部のうち遊技盤の表裏方向に沿って設定される寸法をフランジ厚さ寸法とし、溝深さ寸法をフランジ厚さ寸法以上に設定したので、遊技盤の表面からフランジ部が突出することを避けることができ、盤側凹部の前方に遊技盤構成部材を配置し易い。
【発明を実施するための最良の形態】
【００２１】
以下、代表的な遊技機であるパチンコ遊技機を例に挙げて本発明の実施の最良の形態を図面に基づき説明する。図１はパチンコ遊技機の斜視図、図２は遊技盤を取り外した状態のパチンコ遊技機の斜視図である。
パチンコ遊技機１は、機枠（外枠）２に前面枠（内枠）３を開閉可能に軸着し、該前面枠３のベースとなる前面枠本体４に矩形状の遊技盤５を収納可能とし、該遊技盤５の表面には、略円形状の遊技領域６を区画形成している。また、前面枠３の前面側には、一側（図１中、左側）が軸着された透明部材保持枠９を開閉（回動）可能に設け、該透明部材保持枠９に透視可能な透明部材１０を保持している。そして、透明部材保持枠９を閉じると、遊技盤５が透明部材保持枠９により覆われるとともに、透明部材１０が遊技領域６の前方に配置され、透明部材１０を通して遊技領域６を前方から視認できるように構成している。さらに、透明部材保持枠９の下方には、一側（図１中、左側）が前面枠３に軸着された上皿ユニット１１を開閉（回動）可能に設け、該上皿ユニット１１の下方には、下皿ユニット１２を上皿ユニット１１に対して左右方向にずれた位置に配置している。また、下皿ユニット１２の左側に灰皿１４を備え、下皿ユニット１２の右側に、発射装置（図示せず）を操作するための発射操作ユニット（発射操作ハンドル）１５を備えている。
【００２２】
前面枠本体４は、矩形状の開口部を上寄りに開設した合成樹脂製枠体であり、開口部の周縁に額縁状の遊技盤収納部１８を備え、遊技盤収納部１８内に遊技盤５を遊技盤収納部１８の前方から着脱可能な状態で収納するように構成されている。また、遊技盤収納部１８の下方に遊技盤載置部１９を設け、該遊技盤載置部１９に遊技盤５の下端を載置することで、遊技盤５の上下方向の位置を規制できるように構成されている。
【００２３】
遊技盤収納部１８は、前面枠３の軸着側（図２中、左側）に軸着側壁部２１を備えるとともに、軸着側とは反対の開放側（図２中、右側）に開放側壁部２２を備えている。また、軸着側壁部２１の上端部と開放側壁部２２の上端部とを接続する状態で上側壁部２３を備え、各側壁部２１，２２，２３の後縁（すなわち遊技盤収納部１８の後部）から内側に向かって背面壁部２４を形成し、該背面壁部２４に遊技盤５の裏面側を当接できるように構成されている。そして、遊技盤収納部１８の軸着側壁部２１（すなわち遊技盤収納部１８の一側）には、遊技盤５の側部（図２中、左側部）を前方から掛合可能な掛合片２５を上下２箇所に設けている。
【００２４】
遊技盤５は、図２および図３（ｃ）に示すように、合板やプラスチックなどにより形成される略矩形状の遊技盤本体２８と、該遊技盤本体２８の表面の周縁部に装着され、遊技盤本体２８の表面側に略円形の遊技領域６を区画形成する区画部材２９（本発明における遊技盤構成部材の一種）と、遊技盤本体２８の裏面側に止着された装着ベース３０と、該装着ベース３０の裏面側に装着されて遊技盤５に付属する遊技制御装置３１等の付属部品とを備えて構成されている。また、遊技領域６内には、表示装置３２や入賞口３３等の役物を備え、遊技領域６の側方（図２中、左側方）には、遊技球を遊技盤５の外方（具体的には遊技盤５の下方に配置された発射装置）から遊技領域６へ案内する発射球案内流路３４を形成している。さらに、区画部材２９のうち遊技領域６を挟んで発射球案内流路３４とは反対側に位置する部分には、ゴム製の緩衝部材３５（本発明における遊技盤構成部材の一種）を遊技領域６に臨ませた状態で備え、発射球案内流路３４から遊技領域６の上縁部に沿って飛翔してきた遊技球がこの緩衝部材３５に衝突して下方の遊技領域６へ流下するように構成されている。
【００２５】
そして、パチンコ遊技機１は、区画部材２９の側部の後方、具体的には、区画部材２９のうち遊技領域６を挟んで掛合片２５とは反対側に位置する側部（図２中、右側部）の上下両側の後方に、遊技盤５を遊技盤収納部１８内へ収納した状態でロックするロック機構４０を備えている。ロック機構４０は、図３（ａ），（ｃ），（ｄ）および図４に示すように、遊技盤５に開設された盤側開口４１と、遊技盤収納部１８の背面壁部２４に開設された収納側開口４２と、盤側開口４１および収納側開口４２に挿通される係止部材４３とを備えて構成されている。具体的に説明すると、遊技盤５は、遊技盤本体２８のうち遊技盤収納部１８内に収納された状態で開放側壁部２２側に位置する上下両隅部に、矩形状の盤貫通口４５を遊技盤５の表裏方向へ貫通し、該盤貫通口４５には矩形状の被係止ベース部４６を嵌合している。そして、被係止ベース部４６を遊技盤５の表面に位置する部分から遊技盤５の裏面側へ向けて凹ませて盤側凹部４７を形成し、該盤側凹部４７の奧側に位置する区画壁（言い換えると被係止ベース部４６のうち遊技盤５の裏面側に位置する後部）の中央部分を円形状に後方へ１段凹ませて被係止壁４８とし、該被係止壁４８に盤側開口４１を横向き長穴状で開設している。さらに、該盤側開口４１を遊技盤５の表裏方向へ貫通する状態で開設して、盤側開口４１と盤側凹部４７とを前後に連通し（図５（ａ），（ｂ）参照）、盤側凹部４７の前方に区画部材２９を配置して盤側凹部４７の前側開放口を閉塞している（図３（ａ）参照）。なお、区画部材２９のうち、上側のロック機構４０の前方に位置する部分には緩衝部材３５を備えている。
【００２６】
また、図４および図５に示すように、被係止ベース部４６の前端部の外周には、遊技盤５の表面側に掛合するフランジ部５１を外方へ向けて突設し、盤貫通口４５のうち遊技盤５の表面側の外周にはフランジ受溝部５２を形成している。そして、フランジ部５１をフランジ受溝部５２へ嵌合するとともにビス等の止着部材５３で止着して、被係止ベース部４６が遊技盤５の盤貫通口４５から脱落することを防いでいる。さらに、フランジ受溝部５２のうち遊技盤５の表裏方向に沿って設定される寸法を溝深さ寸法ＦＤとし、フランジ部５１のうち遊技盤５の表裏方向に沿って設定される寸法をフランジ厚さ寸法ＦＴとし、溝深さ寸法ＦＤをフランジ厚さ寸法ＦＴ以上（詳しくはフランジ厚さ寸法ＦＴと同じ寸法）に設定して、フランジ部５１の前縁部が遊技盤５の表面から突出することを避けている（図３（ａ）参照）。
【００２７】
収納側開口４２は、図３（ｄ）に示すように、背面壁部２４のうち盤側開口４１が重合し得る箇所に背面壁部２４の前後方向へ貫通する状態で開設されており、盤側開口４１と同じ横向き長穴状および同じ大きさに設定されている。さらに、図３（ａ），（ｂ）に示すように、背面壁部２４の裏側のうち収納側開口４２の周辺には、円環状の収容壁５５を遊技盤本体２８の後方へ向けて突設し、収容壁５５で囲まれた領域内に係止部材４３の一部を収容できるように構成されている。
【００２８】
係止部材４３は、遊技盤５と遊技盤収納部１８の背面壁部２４とを係止するための部材である。そして、図６（ａ），（ｂ）に示すように、遊技盤５に係止可能な盤側係止部６０と、遊技盤収納部１８に係止可能な収納側係止部６１と、盤側係止部６０と収納側係止部６１とを前後方向へ離間した状態で連結する連結軸６２とを備え、盤側開口４１および収納側開口４２に挿通された状態で連結軸６２を中心にして回動できるように構成されている。さらに、連結軸６２の長さ（前後方向の長さ）、すなわち盤側係止部６０と収納側係止部６１との離間距離を被係止壁４８の厚さ（前後方向の厚さ）と背面壁部２４の厚さ（前後方向の厚さ）との和よりも僅かに広く設定して、盤側係止部６０と収納側係止部６１との間に盤側開口４１の縁部および収納側開口４２の縁部を挟持した状態で回動できるように構成されている。
【００２９】
盤側係止部６０は、係止部材４３の前側に配置された長尺な部材であり、連結軸６２とは直交する方向（言い換えると遊技盤５の表裏方向や遊技盤収納部１８の前後方向とは直交する方向）へ延在し、盤側開口４１および収納側開口４２へ通過可能な形状、具体的には、正面（遊技盤５の前方）から見て盤側開口４１および収納側開口４２よりもひと回り小さい長円形状に設定されている。また、盤側係止部６０の前後方向の厚さを盤側凹部４７の前後方向の奥行き寸法よりも十分に薄く設定し、盤側凹部４７内に収納された状態で盤側凹部４７から前方へ突出することを避けている。そして、盤側係止部６０の後側の中央部には連結軸６２の前端を止着して、連結軸６２と共回りするように構成されている。
【００３０】
また、収納側係止部６１は、係止部材４３の後側に配置された起立円板形状の部材であり、当該収納側係止部６１の直径を収容壁５５の内径よりもひと回り小さく、且つ収納側開口４２の開口長さ（長手方向に沿った長さ）よりも大きく設定して、収容壁５５の内側に収容可能であるとともに、収納側開口４２へ通過不能な形状に構成されている。さらに、収納側係止部６１の前面側の中心には連結軸６２の後端を止着して、連結軸６２および盤側係止部６０と共回りするように構成されている。また、収納側係止部６１の後面には、係止部材４３の回動操作を行うための操作ハンドル６３を盤側係止部６０と平行になる延在状態で備えている。
【００３１】
このような構成を備えた係止部材４３（ロック機構４０）は、連結軸６２を中心にして操作ハンドル６３を遊技盤収納部１８の後方から見て時計方向となる解除回動方向（図３（ｂ）中、矢印Ａで示す回動方向）へ回動操作して横向き状態にすると、盤側係止部６０を横向きに寝かせた状態に設定してロック解除姿勢となり（図４参照）、盤側係止部６０を盤側開口４１および収納側開口４２に対して挿脱することを許容する。また、ロック解除姿勢から操作ハンドル６３を９０度回動、詳しくは遊技盤収納部１８の後方から見て反時計方向となるロック回動方向（図３（ｂ）中、矢印Ｂで示す回動方向）に９０度回動して縦向き起立状態にすると、盤側係止部６０を縦向きに起立した状態に設定してロック姿勢となり（図３（ａ）参照）、盤側係止部６０を盤側開口４１および収納側開口４２に対して挿脱することを規制する。
【００３２】
さらに、パチンコ遊技機１は、係止部材４３の回動を規制してロック姿勢を維持し易い回動規制機構６５を備えている。回動規制機構６５は、被係止壁４８に設けられた係合突起６６と、盤側係止部６０に設けられた係合溝部６７とから構成されている。具体的に説明すると、図５（ａ）に示すように、被係止壁４８の前面（盤側凹部４７に臨ませた面）のうち盤側開口４１の上方および下方に位置する縁部に係合突起６６を被係止壁４８の前方へ向けて突設し、図６（ｃ）に示すように、盤側係止部６０のうち盤側開口４１の縁部に係止し得る位置、言い換えると盤側係止部６０の後面には、係合突起６６が係合可能な係合溝部６７を連結軸６２が中心となる円弧状に形成している。また、係合溝部６７の一端、詳しくはロック回動方向Ｂの下流側に位置する端部を盤側係止部６０の外方（ロック回動方向Ｂ）へ開放して挿入口６７ａとし、該挿入口６７ａから係合突起６６を挿入できるように構成されている。さらに、係合溝部６７の他端、詳しくはロック回動方向Ｂの上流側に位置する端部を閉塞して係止端６７ｂとし、係止部材４３がロック姿勢に変換した状態で係止端６７ｂに係合突起６６を係止するように構成されている。なお、盤側係止部６０には、該盤側係止部６０の長手方向の一端寄りおよび他端寄りに係合溝部６７をそれぞれ２つずつ備え、被係止壁４８には、盤側開口４１の上方および下方に係合突起６６をそれぞれ２つずつ備えている。
【００３３】
そして、図６（ｄ）に示すように、係合溝部６７の深さ（盤側係止部６０の後面から係合溝部６７の底部までの深さ）を挿入口６７ａから係止端６７ｂへ向けて次第に浅く設定し、係合溝部６７のうち挿入口６７ａ側の深さＬＤ１を係合突起６６の被係止壁４８からの突出高さＬＨ（図５（ｃ）参照）よりも深くして、係合突起６６を挿入口６７ａへ挿入し易いように構成されている。また、係合溝部６７のうち係止端６７ｂ側の深さＬＤ２を係合突起６６の突出高さＬＨよりも浅く設定し、係止端６７ｂが係合突起６６を盤側係止部６０の後方へ向けて押圧して、被係止壁４８を盤側係止部６０から離す方向、すなわち収納側係止部６１側へ押圧できるように構成されている。
【００３４】
次に、遊技盤収納部１８内に遊技盤５を収納する手順について説明する。なお、前面枠３は、遊技盤収納部１８の裏側を操作できる状態（例えば、機枠２に対して前面枠３を開いて前面枠３の裏側を露出させた状態）に変換しておく。また、ロック機構４０においては、係止部材４３をロック解除姿勢に設定し、この状態で盤側係止部６０を収納側開口４２へ背面壁部２４の後方から挿通して遊技盤収納部１８内に配置するとともに、収納側係止部６１を収容壁５５内に収容して収納側開口４２の縁部へ係止しておき（図２および図７参照）、操作ハンドル６３を遊技盤収納部１８の後方へ露出して遊技盤収納部１８の後方から係止部材４３（ロック機構４０）を操作できるようにしておく。このとき、収容壁５５の内周面からストッパー（図示せず）を突設し、該ストッパーと背面壁部２４との間で収納側係止部６１を挟持すれば、収納側係止部６１が収容壁５５内から脱落する不都合、ひいては、ロック解除姿勢における盤側係止部６０が収納側開口４２から後方へ抜けて係止部材４３が遊技盤収納部１８から脱落する不都合を阻止することができて好適である。
【００３５】
遊技盤収納部１８に遊技盤５を取り付けるには、まず、透明部材保持枠９を大きく開き、遊技領域６をパチンコ遊技機１の前方に向けた遊技盤５の側部（左側部）を掛合片２５と背面壁部２４との間に差し込んで遊技盤５の表面の側部に掛合片２５を引っ掛ける。遊技盤５に掛合片２５を引っ掛けたならば、遊技盤５の左側面を軸着側壁部２１に押し当てるようにしながら遊技盤５の右側部を遊技盤収納部１８内に押し入れ、遊技盤５の下端を遊技盤載置部１９上に載置する。そして、遊技盤載置部１９に遊技盤５を載せたならば、遊技盤５を十分に後退させて背面壁部２４に遊技盤５の裏面および被係止壁４８を当接し、遊技盤収納部１８に遊技盤５を収納する。すると、掛合片２５が遊技盤５を軸着側壁部２１側へ向けて押圧して遊技盤収納部１８内における遊技盤５の左右方向の位置が決まる。さらには、図７に示すように、遊技盤収納部１８内に配置された盤側係止部６０を当該盤側係止部６０の前方から近づく盤側開口４１へ通し、盤側凹部４７の内部および区画部材２９の後方に位置する。このとき、盤側係止部６０は、盤側凹部４７の奥行き寸法よりも薄い前後幅で形成されているので、遊技盤５の表面よりも後方に位置する状態で盤側凹部４７内に収納される。したがって、盤側係止部６０の前端が遊技盤５の表面よりも前方へ突出することがない。
【００３６】
盤側係止部６０を盤側開口４１に挿通して盤側凹部４７内に収納し、盤側開口４１および収納側開口４２に連結軸６２を挿通したならば、操作ハンドル６３をロック回動方向Ｂへ回動操作して係止部材４３をロック解除姿勢からロック姿勢へ変換する。すると、盤側係止部６０が回動して被係止壁４８の前面に重合する。この結果、係止部材４３は、盤側係止部６０を盤側開口４１の縁部へ係止するとともに収納側係止部６１を収納側開口４２の縁部へ係止し、盤側係止部６０と収納側係止部６１との間に被係止壁４８と背面壁部２４とを前後に重合した状態で挟持する。したがって、遊技盤５を遊技盤収納部１８内へ収納した状態でロックすることができる。さらに、図３（ａ）に示すように、フランジ部５１と背面壁部２４（遊技盤収納部１８）との間に遊技盤５（詳しくは盤貫通口４５の縁部）を挟持する。これにより、遊技盤収納部１８内に遊技盤５を確実に保持することができる。
【００３７】
また、係止部材４３をロック解除姿勢からロック姿勢へ変換する最中には、係合溝部６７に係合突起６６を挿入口６７ａから受け入れて係合し、この係合溝部６７を当該係合溝部６７内に係合突起６６を摺動させながらロック回動方向Ｂへ回動する。そして、係止部材４３をロック姿勢へ変換し終わると、係合溝部６７の係止端６７ｂに係合突起６６を係止して、盤側係止部６０、ひいては係止部材４３がロック回動方向Ｂおよび解除回動方向Ａへ回動することを規制し、さらには、係合突起６６を盤側係止部６０の後方へ向けて押圧し、被係止壁４８を収納側係止部６１へ押圧する。この結果、遊技盤収納部１８内における遊技盤５の前後方向の位置決めを十分に行うことができる。また、係止端６７ｂに係合突起６６を係止することで、収納側係止部６１と遊技盤収納部１８との係合を確実に行うことができ、遊技盤５の保持状態が不用意に解除される不都合をなくすことができる。
【００３８】
ロック機構４０により遊技盤５を遊技盤収納部１８内に収納した状態でロックしたならば、透明部材保持枠９を閉じて遊技領域６を透明部材保持枠９で覆い、前面枠３が機枠２に対して開状態であれば前面枠３を閉じる。このような手順で遊技盤５を収納したパチンコ遊技機１は、ロック機構４０の盤側係止部６０の前方および遊技盤５の盤側凹部４７の前方に区画部材２９を配置している。したがって、遊技盤５を遊技盤収納部１８へ十分に保持することができる構成を備えながらも、遊技盤５の表面の限られたスペースを有効に活用することができる。さらに、遊技盤５の表面に区画形成される遊技領域６を拡大し易い。また、ロック機構４０をパチンコ遊技機１の前方から見え難くすることができ、パチンコ遊技機１の装飾性が損なわれる不都合を抑え易い。そして、係止部材４３を遊技盤収納部１８へ予め取り付け、この状態で遊技盤５を遊技盤収納部１８内へ収納して盤側係止部６０を盤側開口４１へ挿通したので、係止部材４３を予め遊技盤５に備えておく必要がない。したがって、遊技盤５の交換時に係止部材４３を別個に準備して新たな遊技盤５に備える必要がなく、機種交換の準備の手間や機種交換に掛かるコストの改善を図ることができる。また、溝深さ寸法ＦＤをフランジ厚さ寸法ＦＴ以上に設定しているので、遊技盤５の表面からフランジ部５１が突出することを避けることができ、盤側凹部４７の前方に区画部材２９を配置し易い。
【００３９】
そして、遊技盤収納部１８内に装着した遊技盤５を取り外す場合には、前記した操作とは逆の手順で行う。すなわち、前面枠３および透明部材保持枠９を開き、操作ハンドル６３を解除回動方向Ａへ回動操作して係止部材４３をロック姿勢からロック解除姿勢へ変換して、係合突起６６を係合溝部６７から外す。係止部材４３をロック解除姿勢へ変換したならば、遊技盤５の右側部を先に手前に引き出す。すると、被係止ベース部４６の被係止壁４８が背面壁部２４から前方へ離間して盤側開口４１から盤側係止部６０を後方へ抜き出す。そして、遊技盤収納部１８の左側部の掛合片２５から遊技盤５の左側部を外して遊技盤５を手前に引き出す。このようにして、遊技盤５を容易に取り外すことができる。
【００４０】
ところで、上記実施形態では、ロック機構４０の係止部材７３を遊技盤収納部１８へ予め取り付けて収納側係止部６１を背面壁部２４（収納側開口４２の縁部）へ係止しておき、遊技盤収納部１８内に遊技盤５を収納してから盤側係止部７５を被係止壁４８（盤側開口４１の縁部）へ係止するように構成したが、本発明はこれに限定されない。例えば、図８に示す第２実施形態のロック機構７０は、係止部材７３を遊技盤５へ予め取り付けて盤側係止部７５を被係止壁４８（盤側開口４１の縁部）へ常時係止しておき、遊技盤収納部１８内に遊技盤５を収納してから収納側係止部７６を背面壁部２４（収納側開口４２の縁部）へ係止するように構成している。また、第２実施形態におけるパチンコ遊技機１は、基本的には第１実施形態と同じであるが、ロック機構７０の収納側開口４２、係止部材７３（詳しくは盤側係止部７５および収納側係止部７６）の構成、さらには回動規制機構８０の構成が異なる。
【００４１】
具体的に説明すると、第２実施形態における収納側開口４２は、図８（ｄ）および図１１（ａ）に示すように、背面壁部２４のうち盤側開口４１の中心部が重合し得る箇所に背面壁部２４の前後方向へ貫通する状態で開設されており、盤側開口４１と同じ大きさではあるが、盤側開口４１とは直交する縦向き長穴状に設定されている。
【００４２】
盤側係止部７５は、図９および図１０（ａ）に示すように、起立円板形状を呈しており、当該盤側係止部７５の直径を被係止壁４８の直径よりもひと回り小さく、且つ盤側開口４１の開口長さ（長手方向に沿った長さ）よりも大きく設定して、被係止壁４８の凹み部分に嵌合可能であるとともに、盤側開口４１へ通過不能な形状に構成されている。また、図８（ａ）に示すように、盤側係止部７５の前後方向の厚さを盤側凹部４７の前後方向の奥行き寸法よりも十分に薄く設定し、盤側凹部４７内に収納された状態で盤側凹部４７から前方へ突出することを避けている。さらに、収納側係止部７６の後面側の中心には連結軸８２の前端を止着して、連結軸８２と共回りするように構成されている。
【００４３】
また、収納側係止部７６は、図１０（ａ），（ｂ）に示すように、係止部材７３の後側に配置された長尺な部材であり、連結軸８２とは直交する方向へ延在し、盤側開口４１および収納側開口４２へ通過可能な形状、具体的には、正面（遊技盤５の前方）から見て盤側開口４１および収納側開口４２よりもひと回り小さい長円形状に設定されている。そして、盤側係止部７５の前側の中央部には連結軸８２の後端を止着して、連結軸８２および盤側係止部７５と共回りするように構成されている。さらに、盤側係止部７５の後部には、係止部材７３の回動操作を行うための操作ハンドル８３を膨出している。
【００４４】
このような構成を備えた係止部材７３（ロック機構７０）は、連結軸８２を中心にして操作ハンドル８３を遊技盤収納部１８の後方から見て反時計方向となる解除回動方向（図８（ｂ）中、矢印Ｃで示す回動方向）へ回動操作して縦向き状態にすると、収納側係止部７６を縦向き起立状態に設定してロック解除姿勢となり（図８（ｃ）および図１２参照）、収納側係止部７６を収納側開口４２に対して挿脱することを許容する。また、ロック解除姿勢から操作ハンドル８３を９０度回動、詳しくは遊技盤収納部１８の後方から見て時計方向となるロック回動方向（図８（ｂ）中、矢印Ｄで示す回動方向）に９０度回動して横向き状態にすると、収納側係止部７６を横向きに寝かせた状態に設定してロック姿勢となり（図８（ａ），（ｂ）参照）、収納側係止部７６を収納側開口４２に対して挿脱することを規制する。なお、係止部材７３を収納側開口４２へ挿通していない状態でロック姿勢へ変換すると、収納側係止部７６を盤側開口４１に対して挿脱することを許容し（図９参照）、ロック解除姿勢へ変換すると、収納側係止部７６を盤側開口４１に対して挿脱することを規制する（図１２参照）。
【００４５】
回動規制機構８０は、背面壁部２４に設けられた係合突起８６と、収納側係止部７６に設けられた係合溝部８７とから構成されている。具体的に説明すると、背面壁部２４の後面のうち収納側開口４２の左右両側方に位置する縁部に係合突起８６を背面壁部２４の後方へ向けて突設し（図１１（ａ），（ｂ）参照）、収納側係止部７６のうち収納側開口４２の縁部に係止し得る位置、言い換えると収納側係止部７６の前面には、係合突起８６が係合可能な係合溝部８７を連結軸８２が中心となる円弧状に形成している（図１０（ｂ）参照）。また、係合溝部８７の一端、詳しくはロック回動方向Ｄの下流側に位置する端部を収納側係止部７６の外方（ロック回動方向Ｄ）へ開放して挿入口８７ａとし、該挿入口８７ａから係合突起８６を挿入できるように構成されている。さらに、係合溝部８７の他端、詳しくはロック回動方向Ｄの上流側に位置する端部を閉塞して係止端８７ｂとし、係止部材７３がロック姿勢に変換した状態で係止端８７ｂに係合突起８６を係止するように構成されている。なお、収納側係止部７６には、該収納側係止部７６の長手方向の一端寄りおよび他端寄りに係合溝部８７をそれぞれ２つずつ備え、背面壁部２４には、収納側開口４２の左右両側方に係合突起８６をそれぞれ２つずつ備えている。
【００４６】
そして、図１０（ｃ）に示すように、係合溝部８７の深さ（収納側係止部７６の前面から係合溝部８７の底部までの深さ）を挿入口８７ａから係止端８７ｂへ向けて次第に浅く設定し、係合溝部８７のうち挿入口８７ａ側の深さＬＤ３を係合突起８６の背面壁部２４からの突出高さＬＨ′（図１１（ｂ）参照）よりも深くして、係合突起８６を挿入口８７ａへ挿入し易いように構成されている。また、係合溝部８７のうち係止端８７ｂ側の深さＬＤ４を係合突起８６の突出高さＬＨ′よりも浅く設定し、係合突起８６が収納側係止部７６、ひいては係止部材７３を遊技盤収納部１８の後方へ向けて押圧して、盤側係止部７５および被係止壁４８を背面壁部２４へ押圧できるように構成されている。
【００４７】
次に、第２実施形態において遊技盤収納部１８内に遊技盤５を収納する手順について説明する。なお、前面枠３は、遊技盤収納部１８の裏側を操作できる状態（例えば、機枠２に対して前面枠３を開いて前面枠３の裏側を露出させた状態）に変換しておく。また、ロック機構７０においては、係止部材７３をロック姿勢に設定し、この状態で収納側係止部７６を盤側開口４１へ被係止壁４８の前方から挿通して遊技盤５の裏面側に配置するとともに、盤側係止部７５を盤側凹部４７内に収容して盤側開口４１の縁部へ係止しておく。さらに、係止部材７３をロック解除姿勢に変換して収納側係止部７６（係止部材７３）が盤側開口４１から抜け落ちないようにしておく。このとき、盤側係止部７５は、盤側凹部４７の奥行き寸法よりも薄い前後幅で形成されているので、遊技盤５の表面よりも後方に位置する状態で盤側凹部４７内に収納される。したがって、盤側係止部７５の前端が遊技盤５の表面よりも前方へ突出することがない。
【００４８】
遊技盤収納部１８に遊技盤５を取り付けるには、まず、透明部材保持枠９を大きく開き、遊技領域６をパチンコ遊技機１の前方に向けた遊技盤５の側部（左側部）を掛合片２５と背面壁部２４との間に差し込んで遊技盤５の表面の側部に掛合片２５を引っ掛け、遊技盤５の右側部を遊技盤収納部１８内に押し入れ、遊技盤５の下端を遊技盤載置部１９上に載置する。そして、遊技盤載置部１９に遊技盤５を載せたならば、遊技盤５を十分に後退させて背面壁部２４に遊技盤５の裏面および被係止壁４８を当接し、遊技盤収納部１８に遊技盤５を収納する。さらに、図１２に示すように、遊技盤５の裏面側に突出した収納側係止部７６を背面壁部２４へ前方から近づけて収納側開口４２へ通して収容壁５５の内側に収容する。すると、操作ハンドル８３が遊技盤収納部１８の後方へ露出して遊技盤収納部１８の後方から係止部材７３（ロック機構７０）を回動操作可能となる。
【００４９】
収納側係止部７６を収納側開口４２に挿通して収容壁５５内に収容し、盤側開口４１および収納側開口４２に連結軸８２を挿通したならば、操作ハンドル８３をロック回動方向Ｄへ回動操作して係止部材７３をロック解除姿勢からロック姿勢へ変換する。すると、収納側係止部７６が回動して背面壁部２４の後面に重合する。この結果、係止部材７３は、盤側係止部７５を盤側開口４１の縁部へ係止するとともに収納側係止部７６を収納側開口４２の縁部へ係止し、盤側係止部７５と収納側係止部７６との間に被係止壁４８と背面壁部２４とを前後に重合した状態で挟持する。したがって、遊技盤５を遊技盤収納部１８内へ収納した状態でロックすることができる。
【００５０】
また、係止部材７３をロック解除姿勢からロック姿勢へ変換する最中には、係合溝部８７に係合突起８６を挿入口８７ａから受け入れて係合し、この係合溝部８７を当該係合溝部８７内に係合突起８６を摺動させながらロック回動方向Ｄへ回動する。そして、係止部材７３をロック姿勢へ変換し終わると、係合溝部８７の係止端８７ｂに係合突起８６を係止して、収納側係止部７６、ひいては係止部材７３がロック回動方向Ｄおよび解除回動方向Ｃへ回動することを規制し、さらには、係合突起８６が収納側係止部７６を背面壁部２４の後方へ向けて押圧して、盤側係止部７５および被係止壁４８を背面壁部２４へ押圧する。この結果、遊技盤収納部１８内における遊技盤５の前後方向の位置決めを十分に行うことができる。また、係止端８７ｂに係合突起８６を係止することで、収納側係止部７６と遊技盤収納部１８との係合を確実に行うことができ、遊技盤５の保持状態が不用意に解除される不都合をなくすことができる。
【００５１】
ロック機構７０により遊技盤５を遊技盤収納部１８内に収納した状態でロックしたならば、透明部材保持枠９を閉じて遊技領域６を透明部材保持枠９で覆い、前面枠３が機枠２に対して開状態であれば前面枠３を閉じる。このような手順で遊技盤５を収納した第２実施形態のパチンコ遊技機１においても、ロック機構７０の盤側係止部７５の前方および遊技盤５の盤側凹部４７の前方に区画部材２９を配置している。したがって、遊技盤５を遊技盤収納部１８へ十分に保持することができる構成を備えながらも、遊技盤５の表面の限られたスペースを有効に活用することができる。そして係止部材７３を遊技盤５へ予め取り付け、この状態で遊技盤５を遊技盤収納部１８内へ収納して収納側係止部７６を収納側開口４２へ挿通したので、遊技盤５を遊技盤収納部１８へ保持する手段の設定、ひいては、パチンコ遊技機１の設計の自由度を広げることができる。
【００５２】
ところで、上記各実施形態では、ロック機構４０，７０が遊技盤５と遊技盤収納部１８とを係止したが、本発明はこれに限定されない。例えば、図１３に示す第３実施形態においては、ロック機構９０の係止部材９３が遊技盤５と遊技盤収納部１８と装着ベース３０とを係止できるように構成されている点で上記実施形態と異なる。具体的に説明すると、第３実施形態におけるパチンコ遊技機１は、図１３（ａ）〜（ｃ）に示すように、遊技盤５の裏面に配置される装着ベース３０を被係止ベース部４６および盤貫通口４５へ後方から被覆する大きさに設定し、装着ベース３０の隅部のうち盤側開口４１と収納側開口４２との間に位置する箇所にはベース側開口９５を係止部材９３が挿通可能な状態で開設している。また、装着ベース３０の裏面側のうちベース側開口９５の周辺には、円環状のベース側収容壁９６を装着ベース３０の後方へ向けて突設し、ベース側収容壁９６で囲まれた領域内に係止部材９３の一部を収容可能とし、ベース側収容壁９６の後端を背面壁部２４に当接できるように構成されている。すなわち、ベース側収容壁９６は、装着ベース３０と背面壁部２４とを離間するスペーサとして機能する。
【００５３】
そして、ロック機構９０は、基本的には第２実施形態のロック機構７０と同じであるが、収納側開口４２の向きや係止部材９３の連結軸９８の構成が異なる。収納側開口４２は、図１３（ｄ）に示すように、背面壁部２４のうち盤側開口４１の後方に位置し得る箇所に背面壁部２４の前後方向へ貫通する状態で開設されており、盤側開口４１と同じ横向き長穴状および同じ大きさに設定されている。また、背面壁部２４の後面のうち収納側開口４２の上方および下方に位置する縁部に係合突起８６を背面壁部２４の後方へ向けて突設している。
【００５４】
係止部材９３は、図１４に示すように、第２実施形態と同じ構成の盤側係止部７５および収納側係止部７６を備え、盤側係止部７５と収納側係止部７６とを第２実施形態とは異なる構成の連結軸９８で連結している。さらに、連結軸９８の中間部分、言い換えると盤側係止部７５と収納側係止部７６との間には、ベース側開口９５の縁部へ係止可能なベース側係止部１００を備えている。連結軸９８は、盤側係止部７５側に位置する第１軸部９８ａと、収納側係止部７６側に位置する第２軸部９８ｂとから構成されており、第１軸部９８ａと第２軸部９８ｂとを同一直線上に配置している。また、第１軸部９８ａの後端（一端）をベース側係止部１００の前面の中央部へ止着するとともに前端（他端）を盤側係止部７５の後面側の中心へ止着して、盤側係止部７５と第１軸部９８ａとベース側係止部１００とが共回りするように構成されている。さらに、第２軸部９８ｂの後端（一端）を収納側係止部７６の前面側の中央部へ止着するとともに前端（他端）をベース側係止部１００の前面の中央部へ回動自在な状態で軸着して、盤側係止部７５とベース側係止部１００と収納側係止部７６とを連結し、収納側係止部７６と第２軸部９８ｂとが共回りするように構成されている。
【００５５】
そして、第１軸部９８ａの長さ（前後方向の長さ）、すなわち盤側係止部７５とベース側係止部１００との離間距離を被係止壁４８の厚さ（前後方向の厚さ）と装着ベース３０の厚さ（前後方向の厚さ）との和よりも僅かに広く設定して、盤側係止部７５とベース側係止部１００との間に盤側開口４１の縁部およびベース側開口９５の縁部を挟持した状態で回動できるように構成されている。また、第１軸部９８ａの前端から第２軸部９８ｂの後端までの長さ、すなわち盤側係止部７５と収納側係止部７６との離間距離を被係止壁４８の厚さ、装着ベース３０の厚さ、ベース側収容壁９６の突出長さ、および背面壁部２４の厚さの和よりも僅かに広く設定して、盤側係止部７５と収納側係止部７６との間に盤側開口４１の縁部、ベース側開口９５の縁部、および収納側開口４２の縁部を挟持した状態で収納側係止部７６を回動できるように構成されている。
【００５６】
ベース側係止部１００は、連結軸９８とは直交する方向（言い換えると遊技盤５の表裏方向や装着ベース３０の前後方向とは直交する方向）へ延在する部材であり、盤側開口４１およびベース側開口９５へ通過可能な形状、具体的には、正面（遊技盤５の前方）から見て盤側開口４１およびベース側開口９５よりもひと回り小さい長円形状に設定されている。また、ベース側係止部１００の前後方向の厚さをベース側収容壁９６の突出長さ、言い換えると遊技盤収納部１８に遊技盤５を収納した状態における装着ベース３０と背面壁部２４との離間距離よりも薄く設定し、ベース側収容壁９６内に収容された状態で背面壁部２４に当接することを避けている。
【００５７】
さらに、ベース側係止部１００は、当該ベース側係止部１００の前側に位置する前側部１００ａと、後側に位置する後側部１００ｂとをビス等の止着部材１０１で止着して構成されており、前側部１００ａに第１軸部９８ａおよび盤側係止部７５を止着部材１０２で止着し、後側部１００ｂには回動穴１００ｃを開設し、該回動穴１００ｃに第２軸部９８ｂの前端を回動自在な状態で挿通している。そして、第２軸部９８ｂの前端にストッパー１０３をビス１０４およびナット１０５等の止着具で止着して、第２軸部９８ｂがベース側係止部１００から脱落することを阻止している。
【００５８】
このような構成を備えたので、係止部材９３は、ベース側係止部１００と収納側係止部７６とを連結し、ベース側係止部１００を収納側係止部７６とは独立して連結軸９８の周りに回動できる。そして、連結軸９８を中心にして収納側係止部７６の操作ハンドル８３を遊技盤収納部１８の後方から見て反時計方向となる解除回動方向（図１３（ｂ）中、矢印Ｅで示す回動方向）へ回動操作して横向き状態にすると、収納側係止部７６を横向きに寝かせた状態に設定してロック解除姿勢とし（図１５（ｂ）参照）、この収納側係止部７６を収納側開口４２に対して挿脱することを許容する。また、ロック解除姿勢から操作ハンドル８３を９０度回動、詳しくは遊技盤収納部１８の後方から見て時計方向となるロック回動方向（図１３（ｂ）中、矢印Ｆで示す回動方向）に９０度回動すると、収納側係止部７６を縦向き起立状態に設定してロック姿勢とし（図１３（ａ），（ｂ）参照）、収納側係止部７６を収納側開口４２に対して挿脱することを規制する。なお、係止部材９３を盤側開口４１およびベース側開口９５へ挿通しているが収納側開口４２へ挿通していない状態で（図１５（ｂ）参照）、収納側係止部７６をロック姿勢へ変換すると、収納側係止部７６をベース側開口９５に対して挿脱することを許容し、ロック解除姿勢へ変換すると、収納側係止部７６をベース側開口９５に対して挿脱することを規制する。また、係止部材９３を盤側開口４１へ挿通しているが収納側開口４２およびベース側開口９５へ挿通していない状態で（図１５（ａ）参照）、収納側係止部７６をロック姿勢へ変換すると、収納側係止部７６を盤側開口４１に対して挿脱することを規制し、ロック解除姿勢へ変換すると、収納側係止部７６を盤側開口４１に対して挿脱することを許容する。
【００５９】
さらに、連結軸９８を中心にしてベース側係止部１００を遊技盤収納部１８の後方から見て反時計方向となる止着解除方向（図１３（ｂ）中、矢印Ｇで示す回動方向）へ回動操作して縦向き起立状態にすると、止着解除姿勢となり（図１５（ａ）参照）、ベース側係止部１００をベース側開口９５に対して挿脱することを許容する。また、止着解除姿勢からベース側係止部１００を９０度回動、詳しくは遊技盤収納部１８の後方から見て時計方向となる止着方向（図１３（ｂ）中、矢印Ｈで示す回動方向）に９０度回動して横向きに寝かせた状態にすると、止着姿勢となり（図１５（ｂ）参照）、ベース側係止部１００をベース側開口９５に対して挿脱することを規制する。なお、係止部材９３を盤側開口４１へ挿通しているがベース側開口９５へ挿通していない状態で（図１５（ａ）参照）、ベース側係止部１００を止着姿勢へ変換すると、ベース側係止部１００を盤側開口４１に対して挿脱することを許容し、止着解除姿勢へ変換すると、ベース側係止部１００を盤側開口４１に対して挿脱することを規制する。
【００６０】
そして、第３実施形態におけるパチンコ遊技機１は、ベース側係止部１００の回動を規制して止着姿勢を維持し易い止着維持機構１０８を回動規制機構８０とは別個に備えている。止着維持機構１０８は、装着ベース３０に設けられたベース側係合突起１０９と、ベース側係止部１００に設けられたベース側係合溝部１１０とから構成されている。具体的に説明すると、装着ベース３０の後面のうちベース側開口９５の左右両側方に位置する縁部にベース側係合突起１０９を装着ベース３０の後方へ向けて突設し（図１３（ｃ）参照）、ベース側係止部１００のうちベース側開口９５の縁部に係止し得る位置、言い換えるとベース側係止部１００の前面には、ベース側係合突起１０９が係合可能なベース側係合溝部１１０を連結軸９８が中心となる円弧状に形成している（図１４参照）。また、ベース側係合溝部１１０の一端、詳しくは止着方向Ｈの下流側に位置する端部をベース側係合溝部１１０の外方（止着方向Ｈ）へ開放して挿入口１１０ａとし、該挿入口１１０ａからベース側係合突起１０９を挿入できるように構成されている。さらに、ベース側係合溝部１１０の他端、詳しくは止着方向Ｈの上流側に位置する端部を閉塞して係止端１１０ｂとし、ベース側係止部１００が止着姿勢に変換した状態で係止端１１０ｂにベース側係合突起１０９を係止するように構成されている。なお、ベース側係止部１００には、該ベース側係止部１００の長手方向の一端寄りおよび他端寄りにベース側係合溝部１１０をそれぞれ１つずつ備え、装着ベース３０には、ベース側開口９５の左右両側方にベース側係合突起１０９をそれぞれ１つずつ備えている。
【００６１】
そして、ベース側係合溝部１１０の深さ（ベース側係止部１００の前面からベース側係合溝部１１０の底部までの深さ）を挿入口１１０ａから係止端１１０ｂへ向けて次第に浅く設定し、ベース側係合溝部１１０のうち挿入口１１０ａ側の深さをベース側係合突起１０９の装着ベース３０からの突出高さよりも深くして、ベース側係合突起１０９を挿入口１１０ａへ挿入し易いように構成されている。また、ベース側係合溝部１１０のうち係止端１１０ｂ側の深さをベース側係合突起１０９の突出高さよりも浅く設定し、ベース側係合突起１０９がベース側係止部１００、ひいては係止部材９３を装着ベース３０の後方へ向けて押圧して、盤側係止部７５および被係止壁４８を装着ベース３０へ押圧できるように構成されている。
【００６２】
このような構成のロック機構９０等を備えて遊技盤本体２８に装着ベース３０を止着するには、まず、係止部材９３のベース側係止部１００を止着姿勢（横向き姿勢）に設定するとともに収納側係止部７６をロック解除姿勢（横向き姿勢）に設定し、この状態で収納側係止部７６およびベース側係止部１００を盤側開口４１へ被係止壁４８の前方から挿通して遊技盤本体２８の裏面側に配置するとともに、盤側係止部７５を盤側凹部４７内に収容して盤側開口４１の縁部へ係止する。盤側係止部７５を盤側開口４１の縁部へ係止したならば、連結軸９８を中心にベース側係止部１００を止着解除方向Ｇへ回動して止着解除姿勢（縦向き姿勢）に設定するとともに、収納側係止部７６を回動（例えば解除回動方向Ｅへ９０度回動）してロック姿勢（縦向き姿勢）に設定する（図１５（ａ）参照）。そして、遊技盤本体２８の後部に装着ベース３０を重合し、収納側係止部７６およびベース側係止部１００をベース側開口９５へ通して装着ベース３０の後方に配置し、この状態でベース側係止部１００を止着方向Ｈへ回動して止着姿勢（横向き姿勢）へ変換するとともに、収納側係止部７６を９０度回動（例えばロック回動方向Ｆへ９０度回動）してロック解除姿勢（横向き姿勢）へ変換する。すると、ベース側係止部１００が装着ベース３０の後面に重合する。この結果、係止部材９３は、盤側係止部７５を盤側開口４１の縁部へ係止するとともにベース側係止部１００をベース側開口９５の縁部へ係止し、盤側係止部７５とベース側係止部１００との間に被係止壁４８と装着ベース３０とを前後に重合した状態で挟持する。このようにして、遊技盤本体２８に装着ベース３０を止着することができる。
【００６３】
また、ベース側係止部１００を止着解除姿勢から止着姿勢へ変換する最中には、ベース側係合溝部１１０にベース側係合突起１０９を挿入口１１０ａから受け入れて係合し、このベース側係合溝部１１０を当該ベース側係合溝部１１０内にベース側係合突起１０９を摺動させながら連結軸９８を中心に止着方向Ｈへ回動する。そして、ベース側係止部１００を止着姿勢へ変換し終わると、ベース側係合溝部１１０の係止端１１０ｂにベース側係合突起１０９を係止して、ベース側係止部１００が止着方向Ｈおよび止着解除方向Ｇへ回動することを規制し、さらには、ベース側係合突起１０９がベース側係止部１００、ひいては係止部材９３を装着ベース３０の後方へ向けて押圧して、盤側係止部７５および被係止壁４８を装着ベース３０へ押圧する。この結果、遊技盤本体２８に装着ベース３０を十分に押し付けて止着することができる。また、係止端１１０ｂにベース側係合突起１０９を係止することで、ベース側係止部１００と装着ベース３０との係合を確実に行うことができ、装着ベース３０の止着状態が不用意に解除される不都合をなくすことができる。
【００６４】
そして、装着ベース３０が止着された遊技盤５を遊技盤収納部１８へ収納するには、まず、透明部材保持枠９を大きく開き、遊技領域６をパチンコ遊技機１の前方に向けた遊技盤５の側部（左側部）を掛合片２５と背面壁部２４との間に差し込んで遊技盤５の表面の側部に掛合片２５を引っ掛け、遊技盤５の右側部を遊技盤収納部１８内に押し入れ、遊技盤５の下端を遊技盤載置部１９上に載置する。そして、遊技盤載置部１９に遊技盤５を載せたならば、遊技盤５を十分に後退させて背面壁部２４に遊技盤５の裏面、詳しくは装着ベース３０のベース側収容壁９６の後端を当接し、遊技盤収納部１８に遊技盤５を収納する。さらに、図１５（ｂ）に示すように、ベース側収容壁９６から後方へ突出した収納側係止部７６を背面壁部２４へ前方から近づけて収納側開口４２へ通して収容壁５５の内側に収容する。すると、操作ハンドル８３が遊技盤収納部１８の後方へ露出して遊技盤収納部１８の後方から係止部材９３（ロック機構９０）を操作可能となる。
【００６５】
収納側係止部７６を収納側開口４２に挿通して収容壁５５内に収容したならば、操作ハンドル８３をロック回動方向Ｆへ回動操作して収納側係止部７６をロック解除姿勢からロック姿勢へ変換する。すると、収納側係止部７６が背面壁部２４の後面に重合する。この結果、係止部材９３は、盤側係止部７５を盤側開口４１の縁部へ係止するとともに収納側係止部７６を収納側開口４２の縁部へ係止し、遊技盤５を遊技盤収納部１８内へ収納した状態でロックすることができる。ロック機構９０により遊技盤５を遊技盤収納部１８内に収納した状態でロックしたならば、透明部材保持枠９を閉じて遊技領域６を透明部材保持枠９で覆い、前面枠３が機枠２に対して開状態であれば前面枠３を閉じる。このような手順で遊技盤５を収納した第３実施形態のパチンコ遊技機１においては、遊技盤５に装着ベース３０を止着する構成をロック機構９０とは別個に設ける必要がなく、遊技盤５の構成部品数を低く抑えることができる。また、簡単な構成で収納側係止部７６とは独立して回動可能なベース側係止部１００を実現することができる。
【００６６】
ところで、ロック機構は、遊技領域６内を飛翔する遊技球の衝突を利用して、ロック姿勢を維持できるようにしてもよい。例えば、図１６に示す第４実施形態のロック機構７０は、基本的には第２実施形態と同じ構成であるが、係止部材７３に緩衝部材を接続した点で異なる。具体的に説明すると、第４実施形態における遊技盤５は、区画部材２９のうちロック機構７０（詳しくは遊技盤５の上側に位置するロック機構７０）の前方に配置された部分を切り欠いて球進入空間部１１５を形成し、該球進入空間部１１５を遊技領域６へ連通して遊技球が進入できるように構成されている。また、盤側係止部７５の前面側の中央部、言い換えると連結軸８２の延長線上には延長ロッド１１６を球進入空間部１１５に到達するまで前方へ向けて延設し、該延長ロッド１１６の前端に短冊状の止着基部１１８を止着し、係止部材４３をロック姿勢とした状態で止着基部１１８が縦向きに延在するように設定されている。そして、止着基部１１８の前側にはゴム製の緩衝部材１１９を止着部材１２０で止着し、緩衝部材１１９の側部を球進入空間部１１５に臨ませている。さらに、被係止ベース部４６の前端には盤側凹部４７の前側を閉塞する蓋部１２１を備えて遊技球が盤側凹部４７へ進入することを阻止し、蓋部１２１の上部には回動ストッパー１２２を着脱可能な状態で突設し、該回動ストッパー１２２を緩衝部材１１９のうち延長ロッド１１６よりも上方に位置する上部の側面にロック回動方向Ｄの上流側（図１６（ａ）中、左側）から当接して緩衝部材１１９、延長ロッド１１６、係止部材７３が解除回動方向Ｃへ回動することを阻止している。なお、遊技盤５を遊技盤収納部１８から取り外す際には、回動ストッパー１２２を蓋部１２１から外して係止部材４３を解除回動方向Ｃへ回動操作できるようになっている。
【００６７】
このような構成を備えて、遊技領域６を飛翔する遊技球が球進入空間部１１５へ進入し、緩衝部材１１９の上部へロック回動方向Ｄの上流側から衝突すると、この遊技球は、緩衝部材１１９で跳ね返って下方の遊技領域６へ流下する。また、緩衝部材１１９が遊技球から受けた衝撃により、緩衝部材１１９および延長ロッド１１６には、ロック回動方向Ｄの回転モーメントが延長ロッド１１６（すなわち連結軸８２の延長線上）を中心にして発生し、この回転モーメントが延長ロッド１１６から係止部材７３へ伝達される。この結果、係止部材７３は、ロック回動方向Ｄへ回動する方向へ付勢される。したがって、ロック機構７０は、回動ストッパー１２２と緩衝部材１１９との係合により係止部材７３が解除回動方向Ｃへの回動を阻止するだけではなく、仮に係止部材７３が不用意に解除回動方向Ｃへ回動してしまったとしても、遊技球の飛翔勢を利用して係止部材７３をロック姿勢に戻すことができる。
【００６８】
ところで、上記各実施形態では、盤側係止部および盤側凹部４７の前方に区画部材２９および緩衝部材３５，１１９を配置したが、本発明はこれに限定されず、遊技盤５の一部を構成する遊技盤構成部材であれば、どのようなものを配置してもよい。また、遊技盤５に被係止ベース部４６を装着し、該被係止ベース部４６に盤側凹部４７および盤側開口４１を形成したが、本発明はこれに限定されず、被係止ベース部を設けずに盤側凹部および盤側開口を形成してもよい。例えば、遊技盤本体２８の隅部を表面から裏面へ向けて凹ませて盤側凹部を形成し、該盤側凹部の奥面に盤側開口を開設してもよい。
【００６９】
そして、上記した実施形態は、代表的な遊技機であるパチンコ遊技機を例に挙げて説明したが、本発明はこれに限らず、表面に遊技盤構成部材が装着された遊技盤と、該遊技盤を前方から着脱可能な状態で収納する遊技盤収納部と、遊技盤を遊技盤収納部内へ収納した状態でロックするロック機構とを備えた遊技機であればどのような遊技機でもよい。例えば、封入球式パチンコ機、アレンジボール式遊技機、雀球式遊技機等の遊技機であってもよい。
【００７０】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００７１】
【図１】パチンコ遊技機の斜視図である。
【図２】遊技盤を取り外した状態のパチンコ遊技機の斜視図である。
【図３】（ａ）はロック機構の断面図、（ｂ）はロック機構の後方から見た斜視図、（ｃ）は盤側開口の位置を示す遊技盤の説明図、（ｄ）は収納側開口の位置を示す前面枠本体の説明図である。
【図４】ロック機構の分解斜視図である。
【図５】被係止ベース部の説明図であり、（ａ）は正面図、（ｂ）は後方から見た斜視図、（ｃ）は部分断面図である。
【図６】係止部材の説明図であり、（ａ）は後方から見た斜視図、（ｂ）は前方から見た斜視図、（ｃ）は盤側係止部の背面図、（ｄ）は係合溝部の断面図である。
【図７】遊技盤を遊技盤収納部の背面壁部へ近づける状態の説明図である。
【図８】第２実施形態の説明図であり、（ａ）はロック機構の断面図、（ｂ）はロック機構の後方から見た斜視図、（ｃ）は盤側開口の位置を示す遊技盤の説明図、（ｄ）は収納側開口の位置を示す前面枠本体の説明図である。
【図９】第２実施形態におけるロック機構の分解斜視図である。
【図１０】第２実施形態における係止部材の説明図であり、（ａ）は後方から見た斜視図、（ｂ）は収納側係止部の正面図、（ｄ）は係合溝部の断面図である。
【図１１】第２実施形態における収納側開口の説明図であり、（ａ）は背面図、（ｂ）は断面図である。
【図１２】第２実施形態において遊技盤を遊技盤収納部の背面壁部へ近づける状態の説明図である。
【図１３】第３実施形態の説明図であり、（ａ）はロック機構の断面図、（ｂ）はロック機構の後方から見た斜視図、（ｃ）はベース側開口の背面図、（ｄ）は収納側開口の背面図である。
【図１４】第３実施形態における被係止ベース部の斜視図および係止部材の分解斜視図である。
【図１５】（ａ）は第３実施形態において遊技盤本体に装着ベースを近づける状態の説明図、（ｂ）は遊技盤を遊技盤収納部の背面壁部へ近づける状態の説明図である。
【図１６】第４実施形態の説明図であり、（ａ）は緩衝部材を接続したロック機構の正面図、（ｂ）は断面図である。
【符号の説明】
【００７２】
１  パチンコ遊技機
３  前面枠
４  前面枠本体
５  遊技盤
６  遊技領域
１８  遊技盤収納部
２４  背面壁部
２８  遊技盤本体
２９  区画部材
３０  装着ベース
３５  緩衝部材
４０  ロック機構
４１  盤側開口
４２  収納側開口
４３  係止部材
４６  被係止ベース部
４７  盤側凹部
４８  被係止壁
５１  フランジ部
５２  フランジ受溝部
６０  盤側係止部
６１  収納側係止部
６２  連結軸
６３  操作ハンドル
６６  係合突起
６７  係合溝部
６７ａ  挿入口
６７ｂ  係止端
７０  ロック機構
７３  係止部材
７５  盤側係止部
７６  収納側係止部
８０  回動規制機構
８２  連結軸
８３  操作ハンドル
８６  係合突起
８７  係合溝部
８７ａ  挿入口
８７ｂ  係止端
９０  ロック機構
９３  係止部材
９５  ベース側開口
９６  ベース側収容壁
９８  連結軸
１００  ベース側係止部
１０８  止着維持機構
１０９  ベース側係合突起
１１０  ベース側係合溝部
１１０ａ  挿入口
１１０ｂ  係止端
１１５  球進入空間部
１１９  緩衝部材
１２２  回動ストッパー
【図１】
0004846699.tif 000002
【図２】
0004846699.tif 000003
【図３】
0004846699.tif 000004
【図４】
0004846699.tif 000005
【図５】
0004846699.tif 000006
【図６】
0004846699.tif 000007
【図７】
0004846699.tif 000008
【図８】
0004846699.tif 000009
【図９】
0004846699.tif 000010
【図１０】
0004846699.tif 000011
【図１１】
0004846699.tif 000012
【図１２】
0004846699.tif 000013
【図１３】
0004846699.tif 000014
【図１４】
0004846699.tif 000015
【図１５】
0004846699.tif 000016
【図１６】
0004846699.tif 000017